(57)【要約】      （修正有）【課題】花束を収納し、茎が袋本体から露出するのを防止すると同時に、ユーザーは持ち歩きやすい。花の茎を持つために、手が汚れる或いは茎のトゲで怪我することがない手提げ花束包装袋の構造を提供する。【解決手段】主に袋本体１及び覗き窓と持ち手穴で構成する手提げ花束包装袋の構造である。該袋本体は円錐状を呈し、開合することができる。該袋本体の一端に一つの開口１１を設け、別端は閉じた底部１２である。且つ袋本体内に一つの収納室１３を設置し、該開口１１と互いに連通する。更にユーザーの手を通せる持ち手穴１４は袋本体１を貫通する。【選択図】図１
0003177127.tif 000002
【実用新案登録請求の範囲】
【請求項１】
袋本体を含み、
該袋本体は円錐状を呈し、該袋本体の一端に一つの開口を設け、別端は閉じた底部であり、該袋本体内に一つの収納室を設置し、該開口と互いに連通し、更に一つの袋本体を貫通する持ち手穴を設け、
花の茎を開口から収納室に入れることで、花束を収納し、茎が袋本体から露出するのを防止することを特徴とする手提げ花束包装袋の構造。
【請求項２】
前記袋本体は通気性のある毛細繊維であることを特徴とする請求項１記載の手提げ花束包装袋の構造。
【請求項３】
前記袋本体の内壁に一層の通気層をコーティングし、該通気層は通気性のある毛細繊維とすることを特徴とする請求項１記載の手提げ花束包装袋の構造。
【請求項４】
前記袋本体に一つの覗き窓部を設け、且つ該袋本体の覗き窓部に位置する場所に覗き窓部を覆う透明のセロハンを設けることを特徴とする請求項１記載の手提げ花束包装袋の構造。
【請求項５】
前記覗き窓部の形状は半円形、三角形或いは四方形を呈することを特徴とする請求項１記載の手提げ花束包装袋の構造。
【考案の詳細な説明】
【技術分野】
【０００１】
本考案は手提げ花束包装袋の構造に関し、特に花をしっかり収納し、茎が露出するのを避け、且つ持ちやすい花束包装袋の構造に関する。
【背景技術】
【０００２】
一般的にお祭りや誕生日、お見舞い或いはおめでたい時、友人に会って祝福或いは慰問をする際に、誠意を表すために手土産と共に花束を持参する。花束を購入すると、殆どの花屋は包装紙で束にして包み、最後にテープ或いは紐を用いて茎の部分の包装紙を縛ってくれる。しかしお客様は店員から渡される花束を持つ時は、通常包装紙から露出する茎の部分を持つため、茎の汚れがついたり、茎にあるトゲで刺されたりするほか、見た目もクォリティもよくない。また、購入して友人に渡すまでの時間が長すぎると、花束の水分は次第に欠乏して鮮度が落ちてしまう。よって、花の鮮度を保つために、贈る人は液体を張った花器の皿に花束を入れる必要がある。  
【０００３】
中華民国の特許申請案第Ｍ３６１８７２号の「花の包装袋の構造」は、主に通気性のあるクラフトペーパーを円錐状に設計したものである。鮮やかな花を包装する際に、フラワーポットが円錐状の底部に嵌合すると同時に、毛細現象を具有する包装袋が空気を通すために、表面は湿気が残ることによって腐ることがない。また、該クラフトペーパーは適度な硬さがあるため、それを用いて花を包装すると、更にビジュアル的に立体感のあるものとなる。
【０００４】
前記の「花の包装袋の構造」は通常市場で従来通りの包装方法である。通気性を具有し、適切な硬さをも具有するが、使用する際に花器に生けた花のみしか包装することができず、前記の束の形に包装することができないため、花器を買うために余分な出費をすることになり、また、贈る人が持ち歩くのに不便であるため、更なる改善が必要であった。
【先行技術文献】
【特許文献】
【０００５】
【特許文献１】登録実用新案第３０４３１９０号公報
【考案の概要】
【考案が解決しようとする課題】
【０００６】
前記公知構造の欠点を解決するため、本考案は茎が包装袋から露出せず、美観を保ち及び便利に持ち歩きやすい手提げ花束包装袋の構造を提供することを主な課題とする。
【課題を解決するための手段】
【０００７】
上述の目的を解決するために、本考案は手提げ花束包装袋の構造を提供するものである。袋本体を含み、該袋本体は円錐状を呈し、開合することができる。該袋本体の一端に一つの開口を設け、別端は閉じた底部である。袋本体内に一つの収納室を設置し、該開口と互いに連通する。更にユーザーの手を通せる持ち手穴は袋本体を貫通する。
【０００８】
袋本体を開いて花を開口から収納室に入れることで、花束を収納し、茎が袋本体から露出するのを防止する。
【０００９】
本考案の手提げ花束包装袋は更に下記の技術特徴を具有する：
１、該袋本体は通気性のある毛細繊維である。
２、該袋本体の内壁に一層の通気層をコーティングし、該通気層は通気性のある毛細繊維である。
３、該袋本体に一つの覗き窓部を設け、且つ該袋本体の覗き窓部に位置する場所に覗き窓部を覆う透明のセロハンを設ける。
４、該覗き窓部の形は半円形、三角形或いは四方形である。
【考案の効果】
【００１０】
本考案は円錐状の袋本体を設置し、該袋本体の一端に一つの開口を設け、別端は閉じた底部である。袋本体内に該開口と連通する一つの収納室を設置し、更に袋本体を貫通する持ち手穴を設ける。花を袋本体の収納室に入れることで、花を収納し、茎が袋本体から露出するのを防止すると同時に、ユーザーが持ち歩きやすく、花の茎で手が汚れる或いは茎のトゲで怪我することがない。
【図面の簡単な説明】
【００１１】
【図１】本考案の立体略図である。
【図２】本考案の図１のAA線の断面略図である。
【図３】本考案を手に持った状態の立体略図である。
【図４】本考案の第二実施例の通気層をコーティングした断面略図である。
【図５】本考案の第三実施例の立体略図である。
【図６】本考案の第四実施例の立体略図である。
【考案を実施するための形態】
【００１２】
花の茎を包装袋の外に露出せず、美観効果を保ち、及び便利に持つことのできる本考案の手提げ花束包装袋の構造を明確に示すために図に沿って詳細な説明を行う。図１から図３に示すように、本考案に含まれるのは一つの袋本体１である。
【実施例】
【００１３】
該袋本体１は円錐状を呈し、開合することができる。該袋本体１の一端に一つの開口１１を設け、別端は閉じた底部１２である。袋本体１内に一つの収納室１３を設置し、該開口１１と互いに連通する。更にユーザーの手を通せる持ち手穴１４は袋本体１を貫通する。
【００１４】
袋本体１を開いて花を開口から収納室１３に入れることで、花を収納し、茎が袋本体から露出するのを防止する。(前述は本考案の主な実施例の主な技術特徴であり、本考案の請求項１の内容と対応し、本考案の目的及び実施形態の詳細となる。ほかの付属請求項に述べる技術特徴は請求項１の内容の詳細説明或いは付加する技術特徴であり、それにより請求項１の範囲を制限するものではない。本考案の請求項１は必ずしもほかの請求項に述べる技術特徴を含まなくても良い)。
【００１５】
図２及び図４に示すように、花を袋本体１内に収納する際、花の鮮度を保つために、通常の方法は直接袋本体１内で花に向かって水をスプレーする。しかし長時間経てば水分は蒸発しやすくなる。よって本考案は水分を袋本体１内に保てるよう、該袋本体１を通気性のある毛細繊維、或いは該袋本体１の内壁に一層の通気層１５をコーティングし、該通気層１５は通気性のある毛細繊維とする。両者とも余分の排気或いは花が自ら排出する気体を収納室１３の中から外に排出することができ、袋本体１内の水分を保存することができるため、保湿効果を具有しつつ花の鮮度を維持することができる(本考案が掲げる袋本体１の通気効果は、通気方法或いは通気層１５の材料を限定するものではない)。
【００１６】
図５及び図６に示すように、ユーザーが素早く袋本体１内にある花の種類を識別しやすいために、及び袋本体１のクォリティと美観を高めるために、本考案では該袋本体１に一つの覗き窓部１６を設ける。該覗き窓部１６の一端は開口１１と互いに連通し、且つ該袋本体１の覗き窓部１６に位置する場所に覗き窓部１６を覆う透明のセロハン１７を設けることで、花の種類を見やすくした。該覗き窓部１６の形状は半円形、三角形或いは四方形とする(本考案はセロハン１７を使って覗き窓部１６を覆うが、それによって当該材料を一種類に制限されず、画仙紙や絹紙、或いは如何なる透視できる材料とすることができる。また、覗き窓部１６の形状も半円形、三角形或いは四方形に制限されず、本考案と同じ考え方で行う変更や調整は全て本考案の範囲に含まれる)。
【産業上の利用可能性】
【００１７】
従来技術と比較し、上記で説明した手提げ花束包装袋の特徴を下記に挙げて更に説明を行う。図１から図６の図を参照：
１、本考案の手提げ花束包装袋の袋本体１の底部１２は閉じた状態であり、完全に花の茎を該袋本体１内に収納することで、茎が露出し、及び手で直接触れることで茎のトゲで怪我をする、或いは土などで汚れるのを防止する。
【００１８】
２、本考案の手提げ花束包装袋は該袋本体１に設ける持ち手穴１４により、ユーザーは手軽に花束を持つことができ、手が直接花の茎を触って怪我するのを避けるほか、従来技術のように、別途花器を購入する必要がない。
【００１９】
本考案の手提げ花束包装袋は、袋本体１に設ける覗き窓部１６により、ユーザーは花にダメージを与えずに一目で花の種類と数を確認することができると共に、袋本体１のクォリティと美観を高める。
【００２０】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２１】
１  袋本体
１１  開口
１２  底部
１３  収納室
１４  持ち手穴
１５  通気層
１６  覗き窓部
１７  セロハン
【図１】
0003177127.tif 000003
【図２】
0003177127.tif 000004
【図３】
0003177127.tif 000005
【図４】
0003177127.tif 000006
【図５】
0003177127.tif 000007
【図６】
0003177127.tif 000008